(57)【要約】【課題】  反射原稿の画像データから、画像をモニタ表示したときに、部分的な光沢の差などにより生じる色むらを防止可能な画像データを生成する。【解決手段】  特徴情報処理部１６では、反射原稿から取得した画像データがデジタルフィルタ１８に入力されることにより、特性情報抽出部２０で所定領域ごとの特性量を入力値として、選択部２６で選択した変換テーブルから対応する出力値を獲得し、その出力値を得るために、都度、フィルタ係数として設定し、特性情報変換部２２で、所定領域ごとに設定されたフィルタ係数でフィルタ処理を行う。これにより、全域の見た目の色が揃った所望の画像を印刷出力可能となる画像データが得られる。【選択図】        図２
2007034592.tif 000002
【特許請求の範囲】
【請求項１】
反射画像の画像データに基づいて所定の色空間の画像データを出力する画像処理方法であって、
前記出力する画像データから得られる画像に対して目標とする表面構造を表す特徴情報を設定しておき、
前記反射画像の画像データから、印刷出力したときの所定領域ごとの表面構造を表す特性情報を抽出し、
抽出した前記所定領域ごとの特性情報と前記特徴情報を基に入手した特性値と一致可能する変換情報を取得し、
前記変換情報に基づいて前記所定領域ごとのデータに対する画像処理を可能とすることを特徴とする画像処理方法。
【請求項２】
前記変換情報に基づいて前記所定領域ごとのデータに対する画像処理を行うことにより取得した画像データを出力することを特徴とする請求項１に記載の画像処理方法。
【請求項３】
前記変換情報に基づいて前記所定領域ごとのデータに対する画像処理を可能とする付加情報を生成し、
入力された前記反射原稿の画像データと共に、前記付加情報を出力することを特徴とする請求項１に記載の画像処理方法。
【請求項４】
前記所定領域ごとの特性情報の取得又は、前記所定領域ごとの特性情報の取得と前記変換情報に基づいた前記所定領域ごとの画像データに対する画像処理を、フィルタ処理によって行うことを特徴とする請求項１から請求項３のいずれか１項に記載の画像処理方法。
【請求項５】
反射原稿の画像データが入力されることにより、入力された画像データに基づいて、所定の色空間の画像データを出力する画像処理装置であって、
出力する前記画像データから得られる画像に対して目標とする表面構造を表す特徴情報を設定する目標情報設定手段と、
印刷出力されたときの表面構造と表面構造ごとの測色又は測光の測定値との対応関係が予め取得されて形成される１つ以上の変換テーブルを格納する格納手段と、
入力された前記画像データから、印刷出力したときの所定領域ごとの表面構造を表す特性情報を取得する特性情報取得手段と、
前記特徴情報に応じて前記格納手段に格納された前記変換テーブルを選択し、前記所定領域ごとの特性情報を入力として前記変換テーブルから獲得した変換情報を設定する設定手段と、
を含むことを特徴とする画像処理装置。
【請求項６】
前記設定手段によって設定された前記変換情報に基づいて前記所定領域ごとに画像処理を実行する特性情報処理手段を、
含むことを特徴とする請求項５に記載の画像処理装置。
【請求項７】
前記設定手段によって設定された前記変換情報から前記入力された画像データに対する付加情報を生成する付加情報生成手段と、
を含み、前記入力された画像データに前記付加情報を付加して出力することを特徴とする請求項５に記載の画像処理装置。
【請求項８】
前記特性情報取得手段又は、前記特性情報取得手段と前記特性情報処理手段として、デジタルフィルタを用いていることを特徴とする請求項５から請求項７のいずれかに記載の画像処理装置。
【発明の詳細な説明】
【技術分野】
【０００１】
本発明は、反射原稿を読み取って、読み取った反射原稿に応じた画像信号を出力するときの画像処理方法及び画像処理装置に関する。
【背景技術】
【０００２】
印刷出力装置や電子写真プロセス（ゼログラフィー）を用いた画像形成装置などの画像形成デバイス（以下、単にデバイスとする）では、４色以上のインク（色材）を利用し、画像信号に応じて各色のインク量やトナー量を制御して、画像データに応じた画像を記録紙などの画像形成媒体に形成する。
【０００３】
このような画像形成装置では、インクやトナー（以下、トナーを例とする）などの色数に応じたデバイス色空間を用いることにより画像データと画像を形成するトナーの整合を取り、各色のトナーを重畳させて記録紙に形成するようにしている。
【０００４】
一方、画像形成装置では、画像読取機能を併せ持ったり、画像読取機能を備えたスキャナなどの画像読取装置から出力される画像データに基づいて印刷出力を行うことにより、反射原稿などの原稿に形成されている画像の複写が可能となっている。
【０００５】
一般に、画像読取機能では、ＲＧＢ色空間の画像データを出力し、画像形成装置から印刷用に出力される画像データは、ＣＭＹＫ色空間の画像データとなっている。ここから、画像読取機能と画像形成装置との間に位置する画像処理装置では、デバイス用のＲＧＢ色空間の画像データを受け取り、ｓＲＧＢ色空間などのモニタ用の画像データの生成や、印刷用のＣＭＹＫ信号を生成する。その際、色変換係数（例えば、ＩＣＣプロファイル）が必要とされ、色変換係数は、特に２つのデバイス色空間の色域においては、測色的一致の原理を基に設計されている。
【０００６】
ところで、反射画像では、高光沢の色票と低光沢の色票は、実際の見た目では、彩度や明度が異なって見えるが、測色器では同じ測色値の色票となる。この現象の一因としては、測色器ではＪＩＳ規格に準じた０−４５（又は４５−０）の平行光の光学系が適用されるのに対し、実際に色票を観察（目視）するときの光には拡散光が含まれていることが上げられる。
【０００７】
すなわち、光の質と反射画像の表面性（表面状態）により、光沢度と共に、光の反射の角度依存性が顕著に変化する。このために、観察時と測色時での反射エネルギーや質が変わることにより生じる。
【０００８】
このために、画像複写を行ったときに、基の反射画像と色の見えが違う画像が印刷出力されてしまうことがあり、極端な場合には、色むらが生じる。
【０００９】
一方、反射画像の光沢に応じて測色値を他の情報を基に変更することを特徴とする色補正処理を行う提案がなされている（例えば、特許文献１、特許文献２参照。）。
【００１０】
例えば、特許文献１では、測色幾何条件が異なるときに、異なる測色条件で測色して得られる分光反射率の差などに基づいて色補正パラメータを設定することにより、一方の測色幾何条件で読み込んだ画像データを、他方の測色幾何条件で読み込んだ画像データへ色補正するようにしている。
【００１１】
また、特許文献２の提案では、測色光学系の幾何学的条件と、試料の色彩測定値及び光沢度から、試料の表面状態に依存せず視覚で認識される色彩に近く、かつ普遍性の高い視覚基準の色彩値を求めるようにしている。
【００１２】
一方、特許文献３では、原稿から読み取った画像信号を、色の三属性の明度、彩度、色相に変換し、変換した明度、彩度を光沢度によって補正することにより、原稿画像の光沢度の影響を受けることのないカラーマッチングが行われるようにしている。
【特許文献１】特開平９−２１４７８６号公報
【特許文献２】特開２００２−２２８５２２号公報
【特許文献３】特開２０００−２０１２７６号公報
【発明の開示】
【発明が解決しようとする課題】
【００１３】
しかしながら、特許文献１及び特許文献２では、見た目に即した再現色を得るための印刷物用の画像処理を目的としており、本発明の課題である、前述のアルゴリズムなどを用いて処理した印刷物を読み込む際の課題を解決するものではない。さらに、特許文献３は、読み込みの際に光沢を入力して制御するといった解決手段であるが、前述のアルゴリズムなどを用いて処理した印刷物を対象としておらず、課題が異なり、本本題を解決できない。
【００１４】
さらには、印刷処理や電子写真プロセスによって形成された反射画像の光沢は、記録紙の表面状態（表面性）の影響を受けるのは勿論、これのみではなく、記録紙上で画像を形成している各色の画素の集まりが影響していることが多いという問題に対応していない。
【００１５】
特に、電子写真プロセスを用いて画像を形成したときには、各色のトナーを重畳させるため、記録紙自体が低光沢であっても、画像が高光沢となったり、また、画像の色（使用しているトナー）やトナーの層数によっても光沢の加減が変化してしまうことがあり、このために、単なる色補正では、必ずしも所望の印刷出力を可能とする画像データを取得することができるとは限らないという問題があり、その状態で出力した反射原稿の画像読み込みを行うと色むらが生じる。
【００１６】
本発明は上記事実に鑑みてなされたものであり、印刷の際に導入した見た目に近づける画像処理手段の効果を、測色値の色空間に戻すことでモニタに表示可能な情報とすることができると共に、記録紙などの画像形成媒体に画像を形成している反射画像などのように表面状態が不定であっても、反射画像の再現性の向上を図ることができるなどの画像データの生成が可能な画像処理方法及び画像処理装置を提供することを目的とする。
【課題を解決するための手段】
【００１７】
上記目的を達成するために本発明は、反射画像の画像データに基づいて所定の色空間の画像データを出力する画像処理方法であって、前記出力する画像データから得られる画像に対して目標とする表面構造を表す特徴情報を設定しておき、前記反射画像の画像データから、印刷出力したときの所定領域ごとの表面構造を表す特性情報を抽出し、抽出した前記所定領域ごとの特性情報と前記特徴情報を基に入手した特性値と一致可能する変換情報を取得し、前記変換情報に基づいて前記所定領域ごとのデータに対する画像処理を可能とすることを特徴とする。
【００１８】
この発明によれば、入力された画像データを所定領域ずつに分割し、分割した領域ごとに特性情報を抽出する。また、出力した画像データに基づいて表示などの可視化処理したときの画像の全域の表面構造を表すパラメータとして特徴情報を予め設定しておく。
【００１９】
画像データに応じた画像を記録紙等の画像形成媒体に形成したときに、色材の組み合わせ、色材によって形成される層数などの表面構造によって見た目や光沢が変換する。このときの画像全体に対する見た目や光沢を画像の特徴情報とし、分割した所定領域ごとの表面構造を表す情報を特性情報としており、特性情報が特徴情報と一致するように、所定領域ごとのデータに対する変換情報を設定する。
【００２０】
これにより、設定された変化情報に基づいて、各所定領域に対する変換処理を実行することにより、目標とする表面構造を取得できる画像データを生成することができる。
【００２１】
このような本発明の情報処理方法は、前記変換情報に基づいて前記所定領域ごとのデータに対する画像処理を行うことにより取得した画像データを出力するものであってもよく、また、前記変換情報に基づいて前記所定領域ごとのデータに対する画像処理を可能とする付加情報を生成し、入力された前記反射原稿の画像データと共に、前記付加情報を出力するものであってもよい。
【００２２】
また、本発明の画像処理方法においては、前記所定領域ごとの特性情報の取得又は、前記所定領域ごとの特性情報の取得と前記変換情報に基づいた前記所定領域ごとの画像データに対する画像処理を、フィルタ処理によって行うことができ好ましい。
【００２３】
このような本発明が適用される画像処理装置は、反射原稿の画像データが入力されることにより、入力された画像データに基づいて、所定の色空間の画像データを出力する画像処理装置であって、出力する前記画像データから得られる画像に対して目標とする表面構造を表す特徴情報を設定する目標情報設定手段と、印刷出力されたときの表面構造と表面構造ごとの測色又は測光の測定値との対応関係が予め取得されて形成される１つ以上の変換テーブルを格納する格納手段と、入力された前記画像データから、印刷出力したときの所定領域ごとの表面構造を表す特性情報を取得する特性情報取得手段と、前記特徴情報に応じて前記格納手段に格納された前記変換テーブルを選択し、前記所定領域ごとの特性情報を入力として前記変換テーブルから獲得した変換情報を設定する設定手段と、を含むものであればよい。
【００２４】
また、本発明の画像処理装置は、前記設定手段によって設定された前記変換情報に基づいて前記所定領域ごとに画像処理を実行する特性情報処理手段を、含むことができ、前記設定手段によって設定された変換情報から前記入力された画像データに対する付加情報を生成する付加情報生成手段と、を含み、前記入力された画像データに前記付加情報を付加して出力するものであってもよい。
【００２５】
さらに、本発明の画像処理装置は、前記特性情報取得手段又は、前記特性情報取得手段と前記特性情報処理手段として、デジタルフィルタを用いることができ、デジタルフィルタは、シャープネスフィルタやノイズ除去フィルタと合成することもできる。
【発明の効果】
【００２６】
以上説明したように本発明によれば、反射画像の表面状態が不定であっても、記録紙などの画像形成媒体に画像を形成したときに、所望の表面状態に揃った画像が得られる画像データを取得することができるという優れた効果が得られる。
【発明を実施するための最良の形態】
【００２７】
以下に、図面を参照しながら本発明の実施の形態を説明する。図１には、本実施の形態に適用した画像読取装置１０の概略構成を示している。この画像読取装置１０は、反射画像の読み取りが可能なスキャナユニット１２を備えている。このスキャナユニット１２は、例えば、ＣＣＤラインセンサなどの撮像素子を用い、反射画像に照射した光の反射光を受光し、受光量に応じた電気信号を取得する。また、このスキャナユニット１２では、取得した電気信号に対して増幅処理、Ａ／D変換処理等を施すことにより、反射画像に応じた画像信号を出力する。
【００２８】
また、画像読取装置１０には、本発明が適用される画像処理装置を形成する画像処理部１４が設けられている。なお、本発明の実施の形態は、画像処理装置であることから、読取装置や画像形成装置と独立した形態であっても良く、サーバ上や利用者のクライアントＰＣ上であっても限定されるものではない。
【００２９】
画像処理部１４は、スキャナユニット１２から入力される画像信号に対して所定の画像処理を施すことにより、例えば、ｓＲＧＢ色区間やデバイス依存の色空間であるＲＧＢ色空間の画像データなど、予め設定している色空間の画像データとして出力するようになっている。
【００３０】
なお、画像処理部１４は、所定のハードウエア及びプログラムが格納されており、格納されているプログラムに基づいて、シャープネス処理、色補正処理などの一般的な画像処理等が可能となっており、また、画像読取装置１０としては、印刷出力装置と一体で設けられることにより、複写機を構成するものであっても良い。このようなスキャナユニット１２及び画像処理部１４の基本的構成は、公知のスキャナの一般的構成を適用でき、ここでは詳細な説明を省略する。
【００３１】
ここで、本発明を適用した画像処理部１４を説明する。なお、以下では、スキャナユニット１２から出力される画像信号及び、画像処理部１４から出力する画像データを、ＲＧＢ色空間の画像データとして説明するが、これに限らず、例えば、入力される画像信号がＣＩＥ（Commission  Internationale  de  L'eclarage）Ｌ*ａ*ｂ*色空間（以下、Ｌ*ａ*ｂ*色空間とする）、三刺激値ＣＩＥＸＹＺ、ＣＩＥＣＡＭ空間でのＬＣｈ色信号又はＣＭＹＫ色空間の信号であってもよく、また、出力する画像データがＬ*ａ*ｂ*色空間や三刺激値ＣＩＥＸＹＺやＣＭＹＫ色空間の画像データであっても良く、色空間や色信号を限定するものではない。
【００３２】
画像処理部１４には、特徴情報処理部１６が設けられている。図２に示すように、特徴情報処理部１６には、デジタルフィルタ１８が設けられており、このデジタルフィルタ１８によって、特性情報抽出部２０と特性情報変換部２２が形成されている。
【００３３】
デジタルフィルタ１８に形成される特性情報抽出部２０は、入力される画像データを、例えば、３×３などの予め設定されているマトリックスごとに読み込んで、このマトリックス内のデータ値の総和又は平均値を算出する。なお、ここでは、一例として平均値を算出するものとして説明する。
【００３４】
また、デジタルフィルタ１８によって形成される特性情報変換部２２は、目標とする平均値が入力されることにより、３×３のマトリックス内のデータの平均値が、目標とする平均値となるようにデータ処理を行う。すなわち、フィルタ係数が設定されることにより、設定されたフィルタ係数に基づいたデータ処理を実行する。
【００３５】
ここでの目標値入力は、簡単にするために平均値として記載しているが、特徴情報である平均値に換算できる情報であれば変更可能である。例えば、光沢値を入力値とした場合、画素毎の強度値の平均値に換算するには、光沢値−平均強度値の変換テーブルを利用する。
【００３６】
一方、画像処理部１４には、変換テーブル部２４、選択部２６及び目標設定部２８が設けられている。変換テーブル部２４には、予め測定されて設定されたデータに基づいたテーブルが複数格納されている。選択部２６は、目標設定部２８で設定されている目標とする表面状態を得るための情報から１つのテーブルを選択し、特性情報抽出部２０で抽出した所定領域（ここでは、一例として３×３の領域）の特性情報が入力されると、対応する目標とする平均値情報を取得する。
【００３７】
選択部２６は、変換テーブル部２４から出力したデータを、特性情報変換部２２へ出力する。特性情報変換部２２では、選択部２６から入力されたデータに基づいて、３×３のマトリックス内のデータの平均値を設定し、設定した平均値が得られるようにデータ変換を施す。これにより、所定領域ごとの特性情報が、目標表面状態に応じた画像データが得られるようにしている。
【００３８】
すなわち、デジタルフィルタ１８を用いて、所定領域ごとのデータの平均値が目標値となるようにデータ変換を行うように用いている。
【００３９】
ここで、変換テーブル部２４に格納されるデータを説明する。変換テーブル部２４に格納されるデータは、画像全体の表面構造を表す特徴量ごとに、見た目の異なる複数の反射画像のそれぞれを測色又は測光することにより、見た目ごとの測定値を取得する。なお、この測定値としては、測色器を用いて得られる測色値に基づいたものであってもよく、また、濃度計などの測光器を用いて測定される測光量から得たものであっても良い。
【００４０】
また、変換テーブル部２４に格納されるデータは、異なる光沢度（gloss値）が得られるように光源の光の質を変化させた測定値が含まれる。
【００４１】
これにより、変換テーブル部２４には、見た目―測定値―光沢の多数の変換テーブルが形成され、見た目に対する光沢度ごとの測定値、光沢度ごとの見た目に対する測定値が取得可能となるようにしている。なお、このようなデータ及びデータの取得は、公知の方法を適用でき、ここでは詳細な説明を省略する。
【００４２】
一方、目標設定部２８には、画像処理部１４（画像読取装置１０）から出力した画像データに基づいて印刷出力したときに得られる印刷物（反射画像）の見た目や光沢度が、目標表面状態として予め設定されるようになっている。
【００４３】
記録紙などの画像形成媒体（以下、記録紙とする）に形成された画像は、反射画像としてみるときに、記録紙の光沢などの表面状態によって見た目や光沢が変化するのは勿論、画像を形成するときに転写するインクやトナーなどの色材（粘弾性）や、色材の組み合わせ、色材によって形成される層数など、さらには定着での圧力、温度、定着材の表面性などに依存して形成される画像による表面構造の相違が見た目や光沢に影響を受ける。
【００４４】
また、光沢は、形成される画像によって部分的に異なり、これにより、見た目が変化してしまう。すなわち、反射画像の所定領域ごとに特性情報が変化することにより、部分的な光沢が変化し、見た目も変わってしまう。
【００４５】
このとき、特性情報の変化を抑え、反射画像の全域の特徴情報を一定とすることにより一定の見た目が得られ、特徴情報の一つとして光沢を揃えることにより、所望の光沢の画像を形成可能とする画像データが得られる。この画像データを印刷し、見た目にそった反射画像をスキャンで読み込みモニタに表示するのは、元の測定値の情報に戻す処理が必要となる。なお、ここでは、所定領域ごとの特徴情報を特性情報としている。
【００４６】
ここから、画像処理部１４では、画像データを用いて印刷出力したときに記録紙に形成される反射画像の表面状態を予め設定することにより、記録紙に形成される画像全域の光沢を、設定された表面状態が得られるようにしている。
【００４７】
ここで、本実施の形態の作用として、画像処理部１４の画像処理を説明する。
【００４８】
画像処理部１４が設けられている画像読取装置１０では、スキャナユニット１２に反射画像などの原稿が装着された状態で、図示しないスタートスイッチが操作されることにより、原稿から画像読み込みが行われ、スキャナユニット１２から画像信号（画像データ）が出力される。画像処理部１４では、この画像信号に対して所定の画像処理を施し、原稿に応じた画像データを出力する。
【００４９】
この画像データが、例えばモニタに入力されることにより、原稿に応じた画像の表示が可能となっている。
【００５０】
ところで、原稿画像の表面状態に応じて、スキャナユニット１２から画像処理部１４へ入力される画像データも変化し、この画像データに基づいて表示した画像の見た目が原稿と異なることがある。
【００５１】
ここで、画像読取装置１０では、特徴情報処理部１６を設けることにより、所望の見た目が得られる表示を可能とする画像データが得られるようにしている。
【００５２】
ここで、図３を参照しながら、特徴情報処理部１６での処理の概略を説明する。
なお、画像読取装置１０では、予め見た目、光沢に応じた測光量又は測色値が測定されて、見た目−光沢−測定値のテーブルが得られるようにして変換テーブル部２４に格納されている。
【００５３】
また、画像読取装置１０では、読取原稿である印刷物の表面状態の特徴情報が予め設定されて、目標設定部２８に入力されている。なお、目標とする表面状態とは、読取原稿を作成した印刷出力装置（プリンタ）が特定されるときには、そのプリンタで使用するトナーや記録紙などを含む情報に基づいた設定を用いることができる。また、見た目や光沢などの標準状態を特徴情報として用いることができるとともに、また、好みに応じた光沢（高光沢、低光沢など）や見た目から表面状態を規定して、目標とする特徴情報として入力されるものであっても良い。
【００５４】
目標設定部２８では、入力された特徴情報から対応する変換テーブルを選択し、その変換テーブルを利用して特性情報抽出部２０で抽出する特性情報を変換する。なお、特徴情報の数値データを特徴量とし、特性情報の数値データを特性量とする。
【００５５】
図３に示すフローチャートでは、目標とする表面状態が設定され、スキャナユニット１２に反射画像が読み込まれて、反射画像に応じた画像データが入力されることにより実行され、最初のステップ１００では、入力された画像データを読み込む。なお、画像読取装置１０では、スキャナユニット１２から入力される画像データに対して、ホワイトバランス、シャープネス処理などの所定の画像処理が実行されるときには、この画像処理の終了した画像データを読み込むようにしても良い。
【００５６】
これと共に、ステップ１０２では、目標とする表面状態の設定に応じた特徴量を読み込む。
【００５７】
つぎのステップ１０４では、画像データ上の所定領域（所定サイズの領域）を選択し、選択した領域に対して特性量の抽出を行い（ステップ１０６）、ステップ１０８では、抽出した特性量を変更する。
【００５８】
ステップ１１０では、変換テーブル部２４に格納している多数のテーブルの中から、特徴量に応じたデータを設定する。一例として、入出力が平均値であるテーブルで説明する。
【００５９】
この後、ステップ１１４では、抽出している所定領域のデータ値の平均を設定した変換テーブルに入力し、獲得した平均値にデータ変換を行うように設定したフィルタ係数に基づいてフィルタ処理を実行する。
【００６０】
この後、ステップ１１６では、すべての領域に対する特性量の抽出が終了したか否かを確認し、残りの領域があるときには、ステップ１１６で否定判定してステップ１０４へ移行して、次の領域からの特性量の抽出を行う。
【００６１】
このようにして、所定領域ごとの特性量が、予め設定されている特徴量となるようにデータ変換を行うことにより、画像データの全域の特性量を特徴量に合わせることができる。
【００６２】
図４には、このような特徴情報処理部１６でのデータ変換の流れを示している。なお、ここでは、入出力される画像データがＲＧＢ色空間のデータであり、入力データ（Ｒ0、Ｇ0、Ｂ0）から出力データ（Ｒ、Ｇ、Ｂ）を得るものとしている。また、入力データ（Ｒ0、Ｇ0、Ｂ0）及び出力データ（Ｒ、Ｇ、Ｂ）に対するＬ*ａ*ｂ*色空間のデータをデータ（Ｌ0*、ａ0*、ｂ0*）及びデータ（Ｌ*、ａ*、ｂ*）としている。
【００６３】
特徴情報処理部１６では、データ（Ｒ0、Ｇ0、Ｂ0）が入力されることにより、このデータに対する色空間軸の変換を、例えば、変換テーブル部２４のデータとして用いる測色値と同じデバイス非依存の色空間であるＬ*ａ*ｂ*色空間のデータ（Ｌ0*、ａ0*、ｂ0*）を生成する。
【００６４】
また、特徴情報処理部１６では、目標とする表面状態の特徴量（例えば、光沢度（gloss値）など）に基づいて、データ処理を行うことにより、データ（Ｌ*、ａ*、ｂ*）を取得する。
【００６５】
この後、デバイス非依存の色空間のデータ（Ｌ*、ａ*、ｂ*）を、デバイス色空間のデータ（Ｒ、Ｇ、Ｂ）に変換して出力する。
【００６６】
このようなデータ変換を、画像データの所定領域ごとに行うことにより、低光沢で再現している再現色を、高光沢で生じる再現色に変更でき、任意の光沢の時の再現色に変更できる。
【００６７】
なお、以上説明した本実施の形態では、本発明を適用した特徴情報処理部１６が設けられた画像処理部１４を、画像読取装置１０に設け、スキャナユニット１２から入力される画像データに対する画像処理を行うように説明したが、本発明はこれに限るものではなく、例えば、スキャナユニット１２を介さずに、パーソナルコンピュータや、他の画像読取手段によって反射画像を読み取ることにより生成された画像データが入力されるものであっても良い。
【００６８】
一方、本実施の形態では、目標とする表面状態に合わせた画像データを生成するようにしたが、本発明はこれに限るものではなく、目標とする表面状態に合わせた画像データを生成可能とするデータを出力するものであっても良い。
【００６９】
図５には、このときの一例とする画像処理装置３０の画像処理部３２の概略構成を示している。なお、この画像処理部３２には、スキャナユニット１２から画像データが入力されるものであってもよく、また、通信手段や記録媒体を介して画像データが入力されるものであっても良い。
【００７０】
この画像処理部３２には、入力された画像データから、所定領域ごとの特性情報（特性量）を抽出する特性情報抽出部２０が設けられている。これにより、所定領域ごとに特性量に応じた制御値の取得が可能となっている。
【００７１】
また、画像処理部３２には、付加情報生成部３４及び情報付加部３６が設けられている。付加情報生成部３４では、選択部２６で設定された所定領域ごとの制御値が入力されることにより、入力された制御値に基づいた付加情報を生成する。
【００７２】
情報付加部３６では、画像データに付加情報を付加して出力する。このときの出力データとしては、ＴＩＦＦ（Tagged  Image  File  Format）や、ＥＸＩＦ（Exchangeable  Image   File  Format）などの付加情報を付加した任意のファイル形式を適用することができる、
これにより、任意のタイミングで画像処理を行うことにより、所望の印刷出力が得られる画像データの生成が可能となるデータが得られる。
【００７３】
このようなデータに対する画像処理装置としては、例えば、図６に示す画像処理装置４０を適用することができる。この画像処理装置４０の画像処理部４２には、付加情報判定部４４、領域選択部４６及び特性情報変換部２２を含んでいる。
【００７４】
画像処理部４２では、前記した画像処理部３２から出力されたデータが付加情報判定部４４に入力されるようになっており、付加情報判定部４４では、入力されたデータから、画像データを分離する。これにより、画像データが領域選択部４６に入力される。
【００７５】
また、付加情報判定部４４では、画像データに付加されている付加情報から、画像データの領域及び領域ごとの制御値を、領域選択部４６と特性情報変換部２２へ出力する。
【００７６】
領域選択部４６では、画像データから付加情報判定部４４によって判定される領域を分割しながら、特性情報変換部２２へ出力し、特性情報変換部２２は、制御値に応じたデータ処理を行う。
【００７７】
このような画像処理部４２を印刷出力装置に設けることにより、目標とする表面状態に応じた画像を印刷出力することが可能となる。
【００７８】
なお、以上説明した本実施の形態は、本発明の適用を限定するものではなく、本発明は、任意の構成の画像処理装置、画像読取装置及び印刷出力装置に設ける画像処理部に適用することができる。
【図面の簡単な説明】
【００７９】
【図１】本実施の形態に係る画像読取装置の一例を示す概略構成図である。
【図２】画像処理部に設けた特徴情報処理部の概略構成を示すブロック図である。
【図３】特徴情報処理部での画像処理の一例を示す流れ図である。
【図４】特徴処理部での画像データの変換処理の流れを示す概略図である。
【図５】本発明が適用される画像処理部の他の一例を示す概略構成図である。
【図６】図５に示す画像処理部から出力されるデータに対する画像処理に用いる画像処理部の一例を示す概略構成図である。
【符号の説明】
【００８０】
１０    画像読取装置
１２    スキャナユニット
１４、３２    画像処理部
１６    特徴情報処理部
１８    デジタルフィルタ
２０    特性情報抽出部
２２    特性情報変換部
２４    変換テーブル格納部
２６    選択部
２８    目標設定部
３０    画像処理装置
３４    付加情報生成部
３６    情報付加部
【図１】
2007034592.tif 000003
【図２】
2007034592.tif 000004
【図３】
2007034592.tif 000005
【図４】
2007034592.tif 000006
【図５】
2007034592.tif 000007
【図６】
2007034592.tif 000008